(57)【要約】【課題】水面に石鹸の泡が残ることを防止すると共に蛇口から出た湯水が水面で跳ねることを防止した洗面器を提供する。【解決手段】洗面器１は、上方が開口している椀状の外側容器１０と、外側容器１０との間に湯水の流水路ＦＷが形成されるように外側容器１０の内側に重ねられていて、上方が開口している椀状の内側容器２０と、を備えている。外側容器１０は、上方が開口していることで蛇口から出た湯水を受け入れると共に受け入れた湯水を流水路ＦＷに引き渡す湯水受入部１０ｃを有している。内側容器２０は、底面に入水孔ＷＨを有している。湯水受入部１０ｃから受け入れた湯水は、流水路ＦＷを経由して入水孔ＷＨから内側容器２０の内側に流れて内側容器２０内に溜まり、内側容器２０内の水量が増えることで洗面器１から溢れ出る。【選択図】図２
2020058618.tif 000002
【特許請求の範囲】
【請求項１】
上方が開口している椀状の外側容器と、前記外側容器との間に湯水の流水路が形成されるように前記外側容器の内側に重ねられていて、上方が開口している椀状の内側容器と、を備えている洗面器であって、
前記外側容器は、上方が開口していることで蛇口から出た湯水を受け入れると共に受け入れた湯水を前記流水路に引き渡す湯水受入部を有し、
前記内側容器は、底面に入水孔を有し、
前記湯水受入部から受け入れた湯水は、前記流水路を経由して前記入水孔から前記内側容器の内側に流れて前記内側容器内に溜まり、前記内側容器内の水量が増えることで前記洗面器から溢れ出ることを特徴とする
洗面器。
【請求項２】
前記湯水受入部は、湯水が前記洗面器から溢れ出る際の前記内側容器内の水位よりも高位であることを特徴とする
請求項１に記載の洗面器。
【請求項３】
前記内側容器は、前記外側容器に対して着脱可能であることを特徴とする
請求項１又は２に記載の洗面器。
【請求項４】
前記入水孔は、複数であることを特徴とする
請求項１〜３のいずれかに記載の洗面器。
【発明の詳細な説明】
【技術分野】
【０００１】
本発明は、洗面器に関する。
【背景技術】
【０００２】
洗面器は、洗面などを行うために蛇口から出る湯水（水又はぬるま湯）を溜めておく器のことである（例えば、特許文献１参照）。
【先行技術文献】
【特許文献】
【０００３】
【特許文献１】特開２０１２−１５２５２９号公報
【発明の概要】
【発明が解決しようとする課題】
【０００４】
石鹸を用いて洗面を行う場合、洗面器内の水面に石鹸の泡が残るので、洗面器に溜まった湯水を一旦捨てて新しい湯水を入れる必要があり、その間目を瞑ったまま湯水が溜まるのを待たなければならない。石鹸の泡が目に入った場合は、石鹸の泡による痛みを堪えて待たなければならない。蛇口から湯水を出しっぱなしにしておくことで、溢れ出る湯水と共に石鹸の泡も流れ出るので、洗面器内の水面に石鹸の泡が残りにくくなるが、蛇口から出た湯水が水面で跳ねて衣服などを濡らしてしまう可能性がある。
【０００５】
本発明は、上記課題を鑑みてなされたものであり、水面に石鹸の泡が残ることを防止すると共に蛇口から出た湯水が水面で跳ねることを防止した洗面器を提供することを目的とする。
【課題を解決するための手段】
【０００６】
（１）本発明は、上方が開口している椀状の外側容器と、前記外側容器との間に湯水の流水路が形成されるように前記外側容器の内側に重ねられていて、上方が開口している椀状の内側容器と、を備えている洗面器であって、前記外側容器は、上方が開口していることで蛇口から出た湯水を受け入れると共に受け入れた湯水を前記流水路に引き渡す湯水受入部を有し、前記内側容器は、底面に入水孔を有し、前記湯水受入部から受け入れた湯水は、前記流水路を経由して前記入水孔から前記内側容器の内側に流れて前記内側容器内に溜まり、前記内側容器内の水量が増えることで前記洗面器から溢れ出ることを特徴とする洗面器である。
【０００７】
本発明によれば、洗面器から溢れ出る湯水と共に、洗面器内の水面に浮かぶ石鹸の泡も流れ出るので、洗面器内の水面に石鹸の泡が残ることを防止できる。また、蛇口から出た湯水は、洗面器内の水面に直接注がれず、湯水受入部で受け入れられるので、洗面器内の水面で跳ねることはない。
【０００８】
（２）本発明はまた、前記湯水受入部は、湯水が前記洗面器から溢れ出る際の前記内側容器内の水位よりも高位であることを特徴とする上記（１）に記載の洗面器である。
【０００９】
上記発明によれば、蛇口と湯水受入部とをホースなどで接続することなく、蛇口から出た湯水を湯水受入部で受け入れることができ、湯水受入部で受け入れた湯水が湯水受入部から溢れ出てしまうことを防止できる。
【００１０】
（３）本発明はまた、前記内側容器は、前記外側容器に対して着脱可能であることを特徴とする上記（１）又は（２）に記載の洗面器である。
【００１１】
上記発明によれば、内側容器を外側容器から取り外すことで、外側容器を一般的な洗面器と同じように使用することができると共に、洗面器自体を洗うことができる。
【００１２】
（４）本発明はまた、前記入水孔は、複数であることを特徴とする上記（１）〜（３）のいずれかに記載の洗面器である。
【００１３】
入水孔の位置に応じて洗面器内の湯水の流れが決まるので、上記発明によれば、入水孔の位置が所望の位置となるように設計しておくことで、洗面器内の水面に浮かぶ石鹸の泡を効率的に流れ出させることができる。
【発明の効果】
【００１４】
本発明の上記（１）〜（４）に記載の洗面器によれば、水面に石鹸の泡が残ることを防止でき、また、蛇口から出た湯水が水面で跳ねることを防止できる。
【図面の簡単な説明】
【００１５】
【図１】本発明の一実施形態に係る洗面器の上面図である。
【図２】図１の矢印II−II方向に視た洗面器の縦断面図である。
【発明を実施するための形態】
【００１６】
以下、図面を参照して、本発明の一実施形態に係る洗面器１について詳細に説明する。
【００１７】
まず、図１及び図２を用いて、洗面器１の構成について説明する。図１は、洗面器１の上面図である。図２は、図１の矢印II−II方向に視た洗面器１の縦断面図である。
【００１８】
図１及び図２に示す洗面器１は、洗面を行うために蛇口から出る湯水を溜めておく器である。具体的に、洗面器１は、外側容器１０と、内側容器２０と、を備えている二重構造を採用している。
【００１９】
外側容器１０は、上方が開口していて、内側容器２０と比較して一回り大きい椀状の器であり、上面視で卵形状である。この外側容器１０には、当該外側容器１０との間に湯水の流水路ＦＷが形成されるように、当該外側容器１０の内側に、着脱可能でありながら湯水による力で当該外側容器１０から外れることがないように内側容器２０が重ねられている。具体的に、外側容器１０は、外側容器本体１０ａと、内側容器嵌入部１０ｂと、湯水受入部１０ｃと、を有し、金型で一体に成型されたプラスチック製である。
【００２０】
外側容器本体１０ａは、外側容器１０のベースをなす。内側容器嵌入部１０ｂは、外側容器１０における開口している上端の外周縁の一部分を構成し、外周縁の他の部分と比較して下方に窪んだ凹部である。凹部であるこの内側容器嵌入部１０ｂには、内側容器２０における溢水部２０ｂが嵌まり込んで隙間から湯水が漏れることのないように内側容器２０を受け入れる。湯水受入部１０ｃは、外側容器１０における開口している上端の外周から連続するように、上面視で外側の方向に膨らんでいる形状に構成されている。この湯水受入部１０ｃは、湯水が洗面器１から溢れ内側容器２０内の水位よりも高位であり、上方が開口していることで蛇口（図示省略）から出た湯水を受け入れると共に受け入れた湯水を流水路ＦＷに引き渡す。
【００２１】
内側容器２０は、上方が開口していて、外側容器１０と比較して一回り小さい椀状の器であり、上面視で提灯形状である。この内側容器２０は、外側容器１０との間に流水路ＦＷが形成されるように、外側容器１０の内側に、着脱可能でありながら湯水による力で外側容器１０から外れることがないように重ねられている。具体的に、内側容器２０は、内側容器本体２０ａと、一又は複数の溢水部２０ｂと、を有し、金型で一体に成型されたプラスチック製である。
【００２２】
内側容器本体２０ａは、内側容器２０のベースをなし、底面に複数の入水孔ＷＨを有していると共に、底面に鏡３０が取り付けられている。溢水部２０ｂは、内側容器２０における開口している上端の外周から連続するように、かつ、上面視で外側の方向に延びるように、樋状に構成されている。樋状であるこの溢水部２０ｂは、内側容器２０に溜まった湯水が溢れ出る際の流路であり、外側容器１０における内側容器嵌入部１０ｂに嵌まり込んで隙間から湯水が漏れることのないように外側容器１０に内側容器２０が受け入れられる。
【００２３】
次に、図１及び図２を用いて、洗面器１の作用について説明する。
【００２４】
洗面器１は、湯水受入部１０ｃが蛇口の直下に位置するように配置される。蛇口から出た湯水は、湯水受入部１０ｃから受け入れられる。湯水受入部１０ｃから受け入れられた湯水は、流水路ＦＷを経由して入水孔ＷＨから内側容器２０の内側に流れて内側容器２０内に溜まる。内側容器２０の水量が増えることで内側容器２０内の水位が上昇し、内側容器２０内の湯水は、溢水部２０ｂを通じて洗面器１から溢れ出る。
【００２５】
以上説明したように、このような洗面器１によれば、洗面器１から溢れ出る湯水と共に、洗面器１内の水面に浮かぶ石鹸の泡も流れ出るので、洗面器１内の水面に石鹸の泡が残ることを防止できる。また、蛇口から出た湯水は、洗面器１内の水面に直接注がれず、湯水受入部１０ｃで受け入れられるので、洗面器１内の水面で跳ねることはない。
【００２６】
そして、洗面器１によれば、湯水が洗面器１から溢れ出る際の内側容器２０内の水位よりも湯水受入部１０ｃが高位であるので、蛇口と湯水受入部１０ｃとをホースなどで接続することなく、蛇口から出た湯水を湯水受入部１０ｃで受け入れることができ、湯水受入部１０ｃで受け入れた湯水が湯水受入部１０から溢れ出てしまうことを防止できる。
【００２７】
また、洗面器１によれば、内側容器２０が外側容器１０に対して着脱可能であるので、内側容器２０を外側容器１０から取り外すことで、外側容器１０を一般的な洗面器と同じように使用することができると共に、洗面器１自体を洗うことができる。
【００２８】
入水孔ＷＨの位置に応じて洗面器１内の湯水の流れが決まるので、洗面器１によれば、複数ある入水孔ＷＨの位置が所望の位置となるように設計しておくことで、洗面器１内の水面に浮かぶ石鹸の泡を効率的に流れ出させることができる。
【００２９】
さらに、洗面器１によれば、内側容器２０の底面に鏡３０が取り付けられているので、洗面器１に顔を近づけて洗面をする際に、鏡３０に映る目の周りの部分を見ながら洗面をすることができる。
【００３０】
なお、本発明は、上記実施形態に限定されるものではなく、その趣旨及び技術思想を逸脱しない範囲で種々の変更が可能である。すなわち、各構成の位置、大きさ、数量、長さ、形状、材質などは適宜変更できる。
【００３１】
例えば、上記実施形態において、顔や手を洗うために湯水を入れて使用する場合を例に説明したが、本発明はこれに限定されるものではない。本発明の洗面器は、野菜や果物を洗うために湯水を入れて使用するものであってもよい。
【００３２】
あるいは、上記実施形態において、持ち運び可能なプラスチック製の洗面器１の場合を例に説明したが、本発明はこれに限定されるものではない。本発明の洗面器は、洗面台に据え付けられる陶器製のもの等であってもよい。
【符号の説明】
【００３３】
１  洗面器
１０  外側容器
１０ａ  外側容器本体
１０ｂ  内側容器嵌入部
１０ｃ  湯水受入部
２０  内側容器
２０ａ  内側容器本体
２０ｂ  溢水部
３０  鏡
ＦＷ  流水路
ＷＨ  入水孔
【図１】
2020058618.tif 000003
【図２】
2020058618.tif 000004